(57)【要約】【要  約】【課  題】    昇降装置が空気吸込口の左側または右側の一方の側に配置されている天井埋込型空気調和装置において、昇降装置から外に漏れる駆動音を小さくするとともに、昇降装置を設置するために要する平面積を小さくする。【解決手段】  天井埋込型空気調和装置は、グリル枠（２１）の空気吸込口（２２）の右側に配置されている昇降装置（３６）が吊りひも（３２，３３，３４）を巻取り・繰り出しすることにより、昇降グリル（３１）が上下動し、上昇時には昇降グリルがグリル枠の空気吸込口に位置している。そして、昇降装置の外郭はベース基板（４４）およびカバー体（４６）で構成され、その内部にギアボックス（４８）が設けられ、ギアボックス内の歯車（５３ａ，５３ｂ，５３ｃ）およびプーリー（５４ａ，５４ｂ，５４ｃ）の軸は左右方向に配置されているとともに、モータ（５１）はギアボックス内の上部に配置されている。【選択図】  図１１
2005156084.tif 000002
【特許請求の範囲】
【請求項１】
室内機本体の下方にグリル枠が設けられ、このグリル枠は空気吸込口および空気吹出口を具備し、前記空気吸込口の左側または右側の一方の側に配置されている昇降装置が吊りひもを巻取り・繰り出しすることにより、昇降グリルが上下動し、上昇時には昇降グリルがグリル枠の空気吸込口に位置している天井埋込型空気調和装置において、
前記昇降装置の外郭は、前記グリル枠に取り付けられるベース基板およびカバー体で構成され、その内部にギアボックスが設けられ、
このギアボックスの内部には、吊りひもを巻取り・繰り出しするプーリーと、このプーリーを歯車を介して回転駆動するモータとが設けられ、
このギアボックス内の歯車およびプーリーの軸は略水平でかつ左右方向に配置されているとともに、
前記モータは前記ギアボックス内の上部に配置されていることを特徴としている天井埋込型空気調和装置。
【請求項２】
前記昇降装置により巻取り・繰り出しされる吊りひもの本数が３本であり、昇降装置からの吊りひもが昇降グリルの前側の左右および後側の中央部に取り付けられていることを特徴としている請求項１記載の天井埋込型空気調和装置。
【請求項３】
前記昇降装置の内部には、前記ギアボックスから導出してきた吊りひもを下方に案内する案内部が設けられ、ギアボックスからの吊りひもはこの案内部に案内されてベース基板の下方へ導き出されていることを特徴としている請求項１または２記載の天井埋込型空気調和装置。
【発明の詳細な説明】
【技術分野】
【０００１】
本発明は、天井埋込型空気調和装置に関する。
【背景技術】
【０００２】
従来、天井埋込型空気調和装置には、フィルターを掃除したり交換するために、昇降装置で吊りひもを巻取り・繰り出しすることにより昇降グリルを上下動可能にしているものがある。そして、昇降装置を構成するプーリー、歯車やモータなどは従来、たとえば特許文献１に記載されているように、露出しているとともに、プーリーや歯車の軸が空気吸込口の縁に対して平行に設けられている。また、モータは歯車の横側に設置されている。そのため、昇降装置から外に漏れる駆動音が大きくなるとともに、昇降装置の設置に要する平面積が大きくなり、天井埋込型空気調和装置全体の幅を大きくする必要が生じる。
【特許文献１】特開平９−２１５４５号公報
【発明の開示】
【発明が解決しようとする課題】
【０００３】
解決しようとする問題点は、昇降装置から外に漏れる駆動音が大きい点および、昇降装置を設置するために要する平面積が大きく、天井埋込型空気調和装置全体の幅を大きくする必要がある点である。
【課題を解決するための手段】
【０００４】
本発明の天井埋込型空気調和装置は、室内機本体（１）の下方にグリル枠（２１）が設けられ、このグリル枠は空気吸込口（２２）および空気吹出口（２３）を具備し、前記空気吸込口の左側または右側の一方の側に配置されている昇降装置（３６）が吊りひも（３２，３３，３４）を巻取り・繰り出しすることにより、昇降グリル（３１）が上下動し、上昇時には昇降グリルがグリル枠の空気吸込口に位置している。そして、前記昇降装置の外郭は、前記グリル枠に取り付けられるベース基板（４４）およびカバー体（４６）で構成され、その内部にギアボックス（４８）が設けられ、このギアボックスの内部には、吊りひもを巻取り・繰り出しするプーリー（５４ａ，５４ｂ，５４ｃ）と、このプーリーを歯車（５３ａ，５３ｂ，５３ｃ）を介して回転駆動するモータ（５１）とが設けられ、このギアボックス内の歯車およびプーリーの軸は略水平でかつ左右方向に配置されているとともに、前記モータは前記ギアボックス内の上部に配置されている。
【０００５】
また、前記昇降装置により巻取り・繰り出しされる吊りひもの本数が３本であり、昇降装置からの吊りひもが昇降グリルの前側の左右および後側の中央部に取り付けられていることがある。
【０００６】
さらに、前記昇降装置の内部には、前記ギアボックスから導出してきた吊りひもを下方に案内する案内部（５７ａ，５７ｂ，５７ｃ）が設けられ、ギアボックスからの吊りひもはこの案内部に案内されてベース基板の下方へ導き出されていることがある。
【発明の効果】
【０００７】
本発明によれば、昇降装置のプーリー、歯車やモータがギアボックスの内部に設けられ、このギアボックスがベース基板およびカバー体で覆われているので、昇降装置から外に漏れる駆動音を極力小さくすることができる。また、ギアボックス内の歯車およびプーリーの軸は略水平でかつ左右方向に配置されて縦型となっているとともに、モータはギアボックス内の上部に配置されており、昇降装置の横幅を狭くすることができる。したがって、昇降装置の設置面積を小さくすることができ、それにともなって、天井埋込型空気調和装置全体をコンパクトにすることができる。
【０００８】
また、昇降装置により巻取り・繰り出しされる吊りひもの本数が３本であり、昇降装置からの吊りひもが昇降グリルの前側の左右および後側の中央部に取り付けられているので、吊りひもの本数が従来の４本よりも少ない３本であり、それにともなって、プーリーの個数を従来の４個よりも少ない３個にすることができる。その結果、ギアボックスをコンパクトにすることができる。そして、吊りひもを３本にしたにもかかわらず、吊りひもが昇降グリルの前側の左右および後側の中央部に取り付けられているため、安定して昇降グリルを上下動させることができるとともに、吊りひもがフィルターの掃除や交換の作業の妨げになることを極力防止することができる。
【０００９】
さらに、昇降装置の内部には、ギアボックスから導出してきた吊りひもを下方に案内する案内部が設けられ、ギアボックスからの吊りひもはこの案内部に案内されてベース基板の下方へ導き出されているので、吊りひもの配置位置が低くなり、吊りひもがグリル枠の上方の室内機本体などと干渉することを防止することができる。
【発明を実施するための最良の形態】
【００１０】
昇降装置が空気吸込口の左側または右側の一方の側に配置されている天井埋込型空気調和装置において、昇降装置から外に漏れる駆動音を小さくするとともに、昇降装置を設置するために要する平面積を小さくするという目的を、ベース基板およびカバー体で構成される昇降装置の外郭の内部に、ギアボックスを設けるとともに、このギアボックス内の歯車およびプーリーの軸を略水平でかつ左右方向に配置し、かつ、モータをギアボックス内の上部に配置することで実現した。
【実施例１】
【００１１】
次に、本発明における天井埋込型空気調和装置の一実施例について、図１ないし図１１を用いて説明する。図１は本発明における天井埋込型空気調和装置の実施例の斜視図である。図２はグリル枠、フィルターおよび昇降グリルの分解斜視図である。図３は覆い材を外した状態でのグリル枠の概略の説明図である。図４は覆い材を取り付けた状態で引っ繰り返したグリル枠の概略の斜視図である。図５はグリル枠の平面図である。図６は覆い材を外した状態で引っ繰り返したグリル枠の平面図である。図７は吊りひもの案内部および固定部の説明図で、（ａ）が案内具の図、（ｂ）が案内ローラの図、（ｃ）は吊りひも固定部の平面図、（ｄ）が（ｃ）の D-D断面図、（ｅ）が（ｃ）の E-E矢視図である。図８はグリル枠の要部平面図である。図９は表示基板およびリミットスイッチの説明図で、（ａ）は表示基板付近における図８の A-A断面図、（ｂ）は図８の B-B断面図である。図１０は昇降装置のベース基板、カバー体およびギアボックスの概略の分解斜視図である。図１１は昇降装置の説明図で、（ａ）が昇降装置の内部構造を説明するための断面図、（ｂ）がプーリーおよび歯車の説明図である。
【００１２】
なお、図１において、昇降グリルはグリル枠に取り付けられた状態と、下降した状態の両方の状態で図示されている。図３において、グリル枠は引っ繰り返した状態で図示され、覆い材および昇降グリルは斜め上方から見た斜視図で図示されている。図５は空気吹出口の上部構造が切断された状態で図示されている。図６は、吊りひも、その案内具および案内ローラが取り付けられた状態で図示されている。図８において、各リード線は複数本を組み合わせて構成されているが、分かりやすいように、１本で図示されている。図１１（ｂ）において、歯車は実際には斜めに配列されているが、前側から見ると歯車が部分的に前後に重なり分かり難くなるため、分かりやすいように上下方向に配列した状態で図示されている。そして、この明細書の記載において、天井埋込型空気調和装置の長手方向を左右方向とし、２本の吊りひもや表示基板が配置されている側を前側としている。
【００１３】
まず始めに、天井埋込型空気調和装置の全体構成を説明する。
天井埋込型空気調和装置の室内機本体１の外装板２には、その左右側面の前後に固定部としての固定フランジ３が総計４個設けられている。天井板６には、室内機本体１を下側から天井内に設置することが可能なように開口部７が形成される。
【００１４】
また、アンカーボルト９が天井内の構造体（図示しない）に取り付けられており、このアンカーボルト９の下端部に室内機本体１の固定フランジ３を固定することにより、室内機本体１は天井内に設置される。
【００１５】
室内機本体１は、内部に熱交換器（図示しない）および送風機（図示しない）を具備しており、冷媒配管用の接続口１１およびドレン用の接続口１２が、室内機本体１の外装板２から外側に突出して設けられている。冷媒配管用の接続口１１は、冷媒配管１３で室外機（図示しない）に接続される。また、ドレン用の接続口１２にはドレン配管１４が接続される。そして、室内機本体１の底面には、吸込口および吹出口が形成されている。
【００１６】
天井板６の開口部７および室内機本体１の下方は、グリル枠２１で覆われている。このグリル枠２１は、室内機本体１の吸込口および吹出口に対応する位置に、空気吸込口２２および空気吹出口２３を具備している。すなわち、空気吸込口２２がグリル枠２１の中央部に設けられ、この空気吸込口２２を挟んで前後に空気吹出口２３が一対に設けられている。この空気吹出口２３は左右方向に長く設けられている。そして、空気吸込口２２と空気吹出口２３との間には、グリル枠２１の桟２４が設けられ、空気吸込口２２と空気吹出口２３とを仕切っている。また、グリル枠２１は室内機本体１に取り付けられている。
【００１７】
グリル枠２１の空気吸込口２２には、略矩形の昇降グリル３１が配設されている。この昇降グリル３１の各短辺に沿って突出部としてリブ３１ａが上方に突出している。このリブ３１ａは、昇降グリル３１の短辺の長さよりも短く形成されている。そして、グリル枠２１には、昇降グリル３１のリブ３１ａが嵌まる嵌合部としてスリット状の溝２１ａが形成されている。また、昇降グリル３１には、前側の左右および後側の中央部に吊りひも３２，３３，３４が各々取り付けられている。この計３本の吊りひも３２，３３，３４は、詳細は後述する昇降装置３６により巻取り・繰り出しされる。昇降装置３６はグリル枠２１の上面にネジ止めで取り付けられ、空気吸込口２２の右側（すなわち、横側）で、かつ、前後の空気吹出口２３の延長線の間に配置されている。この昇降装置３６のネジ止め位置は図６において符号４２で示されている。そして、昇降装置３６が稼働して、吊りひも３２，３３，３４を巻取り・繰り出しすると、昇降グリル３１は上下方向に移動する。この昇降グリル３１にフィルター４１が着脱可能に取り付けられており、フィルター４１を着脱する際には、昇降グリル３１を下降させる。そして、昇降グリル３１の最下降時には、前側に行くほど下側となるように約４５°の傾きで停止する。また、空気調和の際には、昇降グリル３１を上昇させて空気吸込口２２に位置させる。そして、グリル枠２１の空気吸込口２２から吸い込まれた空気は、室内機本体１の熱交換器で冷却または加熱されて、グリル枠２１の前後の空気吹出口２３から吹き出される。
【００１８】
ところで、昇降グリル３１は吊りひも３２，３３，３４で吊り下げられており、上昇の際に昇降グリル３１に風が当たったり、また、人や物が接触すると、昇降グリル３１が揺れ動くことがある。しかしながら、昇降グリル３１が最上昇位置（すなわち、グリル枠２１の空気吸込口２２）の付近で、昇降グリル３１が揺れ動きながら、そのリブ３１ａがグリル枠２１の溝２１ａに嵌まり、このリブ３１ａと溝２１ａの嵌合に誘導されながら、昇降グリル３１は上昇し、確実に所定位置（すなわち、グリル枠２１の空気吸込口２２）に収納される。
【００１９】
次に、昇降装置３６の詳細および吊りひも３２，３３，３４の配線を説明する。昇降装置３６の外郭は、グリル枠２１にネジ止めされるベース基板４４と、このベース基板４４に取り付けられるカバー体４６とで構成され、略直方体形状の箱体をしている。ベース基板４４はグリル枠２１に取り付けられる略水平な水平板部４４ａと、この水平板部４４ａから略垂直に立ち上がる垂直板部４４ｂを具備しており、この垂直板部４４ｂにギアボックス４８が取り付けられている。このギアボックス４８内の上部には、駆動モータ５１が設けられている。この駆動モータ５１の回転軸にはウォーム５２が固定されており、モータ５１が回転駆動すると、ウォーム５２が回転する。モータ５１の回転軸は前後方向に配置されている。また、ウォーム５２は歯車機構である歯車５３ａ，５３ｂ，５３ｃを介してプーリー５４ａ，５４ｂ，５４ｃを回転駆動する。駆動モータ５１の回転軸すなわちウォーム５２は、歯車５３ａ，５３ｂ，５３ｃおよびプーリー５４ａ，５４ｂ，５４ｃよりも上方に位置している。また、第３のプーリー５４ｃは、クラッチ５６を介して第３の歯車５３ｃに連結されている。歯車５３ａ，５３ｂ，５３ｃおよびプーリー５４ａ，５４ｂ，５４ｃの回転軸は左右方向に配置されており、その横幅は図１１（ｂ）に図示するように狭くなっている。各プーリー５４ａ，５４ｂ，５４ｃに各々吊りひも３２，３３，３４が取り付けられている。プーリー５４ａ，５４ｂ，５４ｃからの吊りひも３２，３３，３４はギアボックス４８から出て、案内部であるガイドローラ５７ａ，５７ｂ，５７ｃにより下方に案内されて、ベース基板４４の水平板部４４ａの貫通孔５８ａ，５８ｂ，５８ｃから下方に導出されている。この貫通孔５８ａ，５８ｂ，５８ｃにはベース基板４４の水平板部４４ａから下方に突出するカラーが設けられている。
【００２０】
そして、昇降装置３６の取り付けられるグリル枠２１には、吊りひも３２，３３，３４用の貫通孔６２，６３，６４が形成されている。また、グリル枠２１の桟２４の下方に吊りひも３２，３４が通る吊りひも通路空間６６，６７〔図４および図９（ａ）参照〕を形成すべく、桟２４の下側に覆い材７１，７２が取り付けられている。この覆い材７１，７２は、上面が開口した細長い箱形状をしており、細長い長方形の底板およびこの底板の周辺（すなわち、４辺）から立ち上がる側板とを有している。
【００２１】
さらに、図６に図示するように、グリル枠２１の左側には、前側の桟２４の横側付近に、案内具７３および案内ローラ７４がグリル枠２１の下面に取り付けられて設けられている。この案内具７３および案内ローラ７４は、第１吊りひも３２を案内する案内部を構成している。案内具７３は、図７（ａ）に図示するように、第１吊りひも３２の通る開口７３ａを有しており、貫通孔６２からの第１吊りひも３２がこの開口７３ａを通ることにより、左右方向に延在してきた第１吊りひも３２の方向を案内ローラ７４側に導いている。案内ローラ７４は、案内具７３から略水平に延在してきた第１吊りひも３２を下向きに方向転換させている。
【００２２】
また、後側の桟２４の中央部の縁付近に、第３吊りひも用案内部である案内具７５がグリル枠２１の下面に取り付けられて設けられている。案内具７５は、案内具７３と同様な構造をしており、第３吊りひも３４の通る開口を有しており、貫通孔６４からの第３吊りひも３４がこの案内具７５の開口を通ることにより、左右方向に延在してきた第３吊りひも３４を、前側（すなわち、空気吸込口２２側）に導くとともに、下側に方向転換させている。
【００２３】
そして、昇降装置３６の第１プーリー５４ａに取り付けられた第１吊りひも３２は、ギアボックス４８内から外に出て第１ガイドローラ５７ａにより下方に方向転換し、貫通孔５８ａを通って昇降装置３６の下方に導出される。ついで、グリル枠２１の第１貫通孔６２を通って、前側の吊りひも通路空間６６に導入され、吊りひも通路空間６６を右側から左側へ通り、吊りひも通路空間６６の左端部で、案内具７３を介して、覆い材７１とグリル枠２１との間に形成された吊りひも導出開口から覆い材７１の外側に導き出され、案内ローラ７４で下向きに方向転換されて、昇降グリル３１の左前側に取り付けられている。
【００２４】
昇降装置３６の第２プーリー５４ｂに取り付けられた第２吊りひも３３は、ギアボックス４８内から外に出て第２ガイドローラ５７ｂにより下方に方向転換し、貫通孔５８ｂを通って昇降装置３６の下方に導出される。ついで、グリル枠２１の第２貫通孔６３を通って、グリル枠２１の下方に導かれ、昇降グリル３１の右前側に取り付けられている。
【００２５】
昇降装置３６の第３プーリー５４ｃに取り付けられた第３吊りひも３４は、ギアボックス４８内から外に出て第３ガイドローラ５７ｃにより下方に方向転換し、貫通孔５８ｃを通って昇降装置３６の下方に導出される。ついで、グリル枠２１の第３貫通孔６４を通って、後側の吊りひも通路空間６７に導入され、吊りひも通路空間６７を右側から左側へ通り、吊りひも通路空間６７の中央部付近で、案内具７５を介して、覆い材７２とグリル枠２１との間に形成された吊りひも導出開口から覆い材７２の外側に導き出されて、昇降グリル３１の後側の中央部に取り付けられている。
【００２６】
上述のように、各吊りひも３２，３３，３４の先端部は、昇降グリル３１の上面に取り付けられているが、その取付構造は図７（ｃ）〜（ｅ）に図示されている。吊りひも３２，３３，３４の先端部を、金属製のスリーブ３７に通してカシメて一体化し、このスリーブ３７を固定部である押さえ部材３８で昇降グリル３１に押しつけて固定している。押さえ部材３８よりも内側には、フィルター４１が存在している。
【００２７】
また、前側の覆い材７１の一部には、表示用の透明板７６が設けられ、この透明板７６の上方に、空気調和装置の状況（運転のＯＮ−ＯＦＦ、タイマーのＯＮ−ＯＦＦ、警報ランプなど）を表示するための表示基板７７が配置されている。この表示基板７７はリモコンの受信部を具備している。そして、表示基板７７からのリード線７８は、グリル枠２１の本体に形成されたリード線用貫通孔としての長穴７９を通って、吊りひも通路空間６６からグリル枠２１の上方に導き出されている。この長穴７９の周辺（すなわち、後側の縁部）にグリル枠２１の本体の下面から下方に突出する縦リブ８１が設けられており、この縦リブ８１の前側に表示基板７７からのリード線７８が配線され、一方、縦リブ８１の後側に第１吊りひも３２が配線される。
【００２８】
さらに、グリル枠２１の前側の桟２４には、リミットスイッチ用の固定部８７が張り出している。この固定部８７にリミットスイッチ固定具８８を介してリミットスイッチ８６が取り付けられる。リミットスイッチ固定具８８は、固定部８７にビス止めなどで取り付けられる水平部８９と、この水平部８９から垂下する垂直部９１とを有しており、この垂下する垂直部９１にリミットスイッチ８６がビスなどで取り付けられている。昇降グリル３１が上昇して所定位置に収容されると、昇降グリル３１の上面がリミットスイッチ８６の検知レバー９２の先端に当接して上昇させ、リミットスイッチ８６から昇降グリル検出信号が出力する。
【００２９】
そして、リミットスイッチ８６からのリード線９３は、水平部８９に設けられた切欠き９４を通って、桟２４の上方に配線される。そして、このリード線９３は、表示基板７７からのリード線７８に合流して、桟２４に設けられたリード線固定爪９６で固定される。合流したリード線７８，９３は、前後の空気吹出口２３のルーバを駆動するモータのためのルーバ駆動用のリード線９５，９５とともに結束具９７で結束、固定されている。上記リード線固定爪９６は、この結束具９７による結束位置と長穴７９との間の位置に配置されている。結束具９７で結束されたリード線７８，９３，９５，９５は、昇降装置３６の駆動モータ５１からのリード線９８〔図１１（ａ）参照〕とともに結束され、室内機本体１の電装箱内の基板（図示しない）に接続されている。
【００３０】
前述の様に、上記実施例においては、昇降装置３６の駆動モータ５１、ウォーム５２や歯車５３ａ，５３ｂ，５３ｃなどは、ギアボックス４８内に配置されているとともに、このギアボックス４８が昇降装置３６の外郭４４，４６内に配置されている。したがって、昇降装置３６から外に漏れる駆動音を極力小さくすることができる。また、歯車５３ａ，５３ｂ，５３ｃやプーリー５４ａ，５４ｂ，５４ｃの回転軸が左右方向に配置されて縦型となっており、昇降装置３６の横幅を狭くすることができる。したがって、昇降装置３６の設置面積を小さくすることができ、それにともなって、天井埋込型空気調和装置全体をコンパクトにすることができる。
【００３１】
さらに、駆動モータ５１がギアボックス４８内の上部に配置されており、その駆動モータ５１の回転軸の下方に歯車５３ａ，５３ｂ，５３ｃやプーリー５４ａ，５４ｂ，５４ｃが配置されている。したがって、吊りひも３２，３３，３４が駆動モータ５１に干渉することを防止することができるとともに、ギアボックス４８の横幅を小さくすることができる。
【００３２】
また、吊りひもの本数が３本であり、従来の４本よりも少ないため、それにともなって、プーリーの個数を従来の４個よりも少ない３個にすることができる。その結果、ギアボックスをコンパクトにすることができる。そして、吊りひもを３本にしたにもかかわらず、吊りひもが昇降グリルの前側の左右および後側の中央部に取り付けられているため、安定して昇降グリルを上下動させることができる。
【００３３】
さらに、ギアボックス４８からの吊りひも３２，３３，３４は、昇降装置３６内においてガイドローラ５７ａ，５７ｂ，５７ｃにより下方に方向転換されて、昇降装置３６の下方に導き出されている。したがって、吊りひも３２，３３，３４の配置位置が低くなり、吊りひも３２，３３，３４がグリル枠２１の上方の室内機本体１などと干渉することを防止することができる。
【００３４】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
【００３５】
（１）カバー体は、上記実施例では一部材で構成されているが、ベース基板とともに箱体を形成することができるならば、その構造、材質や形状などは適宜変更可能である。たとえば、カバー体を複数の部材で構成することも可能である。
（２）吊りひもの材質や形式などは適宜選択可能であり、たとえば、糸を束ねた線材、ワイヤーケーブル、チェーン、ベルトなどを用いることが可能である。
（３）歯車やプーリーの個数や配列などは適宜変更可能である。
（４）室内機本体１を天井内の構造体に支持させるための固定手段は適宜変更可能である。
【００３６】
（５）覆い材７１，７２は、グリル枠２１の桟２４の下面との間に吊りひも通路空間６６，６７を形成することができるならば、その形状、構造や材質などは適宜変更可能である。覆い材はグリル枠の本体と別体に形成されているが、一体に形成することも可能である。その場合には、桟がグリル枠の本体と別体に形成される。
（６）吊りひもの本数は必ずしも３本に限定されず、適宜変更可能である。ただし、３本であることが好ましい。
【産業上の利用可能性】
【００３７】
昇降装置が吊りひもを巻取り・繰り出しすることにより、昇降グリルが上昇・下降する天井埋込型空気調和装置に適用することができる。
【図面の簡単な説明】
【００３８】
【図１】図１は本発明における天井埋込型空気調和装置の実施例の斜視図である。
【図２】図２はグリル枠、フィルターおよび昇降グリルの分解斜視図である。
【図３】図３は覆い材を外した状態でのグリル枠の概略の説明図である。
【図４】図４は覆い材を取り付けた状態で引っ繰り返したグリル枠の概略の斜視図である。
【図５】図５はグリル枠の平面図である。
【図６】図６は覆い材を外した状態で引っ繰り返したグリル枠の平面図である。
【図７】図７は吊りひもの案内部および固定部の説明図で、（ａ）が案内具の図、（ｂ）が案内ローラの図、（ｃ）は吊りひも固定部の平面図、（ｄ）が（ｃ）の D-D断面図、（ｅ）が（ｃ）の E-E矢視図である。
【図８】図８はグリル枠の要部平面図である。
【図９】図９は表示基板およびリミットスイッチの説明図で、（ａ）は表示基板付近における図８の A-A断面図、（ｂ）は図８の B-B断面図である。
【図１０】図１０は昇降装置のベース基板、カバー体およびギアボックスの概略の分解斜視図である。
【図１１】図１１は昇降装置の説明図で、（ａ）が昇降装置の内部構造を説明するための断面図、（ｂ）がプーリーおよび歯車の説明図である。
【符号の説明】
【００３９】
１  室内機本体
２１  グリル枠
２２  空気吸込口
２３  空気吹出口
３１  昇降グリル
３２〜３４  吊りひも
３６  昇降装置
４４  ベース基板
４６  カバー体
４８  ギアボックス
５１  モータ
５３ａ，５３ｂ，５３ｃ  歯車
５４ａ，５４ｂ，５４ｃ  プーリー
５７ａ，５７ｂ，５７ｃ  ガイドローラ（案内部）
【図１】
2005156084.tif 000003
【図２】
2005156084.tif 000004
【図３】
2005156084.tif 000005
【図４】
2005156084.tif 000006
【図５】
2005156084.tif 000007
【図６】
2005156084.tif 000008
【図７】
2005156084.tif 000009
【図８】
2005156084.tif 000010
【図９】
2005156084.tif 000011
【図１０】
2005156084.tif 000012
【図１１】
2005156084.tif 000013